(57)【要約】【課題】風路切換装置では、ダンパーの数が多く、制御系が複雑であると共に工事コストが嵩む等の課題があり、ダンパーの数を減らすことを目的としている。また、ダンパーの回転領域内に大きなスペースを確保することを目的としている。【解決手段】風路２a、２b、２ｃは風路切換ボックス１に連結され、風路切換ボックス１内のある点を基準とし回転する回転式ダンパー３を有する構成となっており、回転式ダンパー３が風路切換ボックス１と風路２a、２b、２cを閉じる効果を有する。なお、風路２aが閉じられている時は、風路２ｂ、２cは開かれている。また、回転式ダンパー３を回転させることで、それぞれ風路２b、２cも閉じることが可能である。つまり、１つのダンパーで３つの風路２a、２b、２cをそれぞれ開閉することが可能である。【選択図】図１
2005098609.tif 000002
【特許請求の範囲】
【請求項１】
少なくとも２つ以上の風路と、前記風路をつなぐ風路切換ボックスを有し、前記風路切換ボックス内に回転式ダンパーを有したことを特徴とする風路切換装置。
【請求項２】
回転式ダンパーが直線形状であることを特徴とした請求項１に記載の風路切換装置。
【請求項３】
回転式ダンパーが円弧形状であることを特徴とした請求項１に記載の風路切換装置。
【請求項４】
風路切換ボックスの形状が正方形で、正方形の対角線上の中点に前記回転式ダンパーの回転の中心があることを特徴とした請求項１、２及び３のいずれかに記載の風路切換装置。
【請求項５】
風路切換ボックスの形状が円形で、円形の中心に前記回転式ダンパーの回転の中心があることを特徴とした請求項１、２及び３のいずれかに記載の風路切換装置。
【請求項６】
前記回転式ダンパーに回転させるための取手を有し、手動で回転させることを特徴とした請求項１、２、３、４及び５のいずれかに記載の風路切換装置。
【請求項７】
前記回転式ダンパーを回転させるために、前記回転式ダンパーの回転中心にモータを設置し、前記モータにより回転させることを特徴とした請求項１、２、３、４及び５のいずれかに記載の風路切換装置。
【請求項８】
風路切換ボックス内に少なくとも１つ以上の吹き出し口と、少なくとも２つ以上の吸い込み口とを有し、前記風路切換ボックス内にファンと、ケーシングを有し、前記風路切換ボックスに、前記回転式ダンパーを有したことを特徴とした請求項２、３、４、５、６及び７のいずれかに記載の風路切換装置。
【請求項９】
風路切換ボックス内に１つの吹き出し口と、２つの吸い込み口とを有し、前記風路切換ボックス内にファンと、ケーシングを有し、前記風路切換ボックスに、前記回転式ダンパーを有したことを特徴とした請求項２、３、４、５、６及び７のいずれかに記載の風路切換装置。
【請求項１０】
前記ファンを挟んで向かい側に設置された２つの吸い込み口を有することを特徴とした請求項８及び９のいずれかに記載の風路切換装置。
【発明の詳細な説明】
【技術分野】
【０００１】
本発明は、空調システム等に使用する風路切換装置に関するものである。
【背景技術】
【０００２】
従来、この種の風路切換装置は、切換式ダンパーを使用されたものが知られている（例えば、特許文献１参照）。
【０００３】
以下、その風路切換装置について図１３を参照しながら説明する。
【０００４】
図に示すように、ダンパー器体１０１の３方向に開口部１０２a、１０２b、１０２cを構成し、２方向の開口部の夫々に閉止板１０３a、１０３bを回転可能に設け、夫々の閉止板を一方が開の時に他方が閉となる状態で連動させるマイタ歯車１０４a、１０４bを利用した機構等の連動機構を設けると共に、適所に駆動モータ１０５を設けた切換式ダンパーを提案している。
【特許文献１】特開２０００−２０５６４０号公報（第６頁、第１図）
【発明の開示】
【発明が解決しようとする課題】
【０００５】
このような従来の風路切換装置では、風路切換部分に対して、吸い込み口や吹き出し口の数だけダンパーを設置しているため、ダンパーの数が多く、制御系が複雑であると共に工事コストが嵩む等の課題があり、ダンパーの数を減らすことが要求されている。
【０００６】
また、ダンパーを回転させるために、ダンパーの回転領域内に大きなスペースを確保しなければならない等の課題がある。
【０００７】
本発明は、このような従来の課題を解決するものであり、１つのダンパーで風路を切換えることができ、かつ、スペースを有効に利用できる。また、吸い込み口や吹き出し口を自由に設置することのできる風路切換装置を提供することを目的としている。
【課題を解決するための手段】
【０００８】
本発明の風路切換装置は上記目的を達成するために、風路切換ボックス内に回転式ダンパーを設置したものである。
【０００９】
この手段により１つのダンパーで複数の風路を切換えることができ、かつ、風路切換ボックス内のスペースを有効に利用できる。
【００１０】
また、本発明の風路切換装置は上記目的を達成するために、回転式ダンパーを直線形状としたものである。
【００１１】
この手段により制作費を削減できるという効果が得られる。
【００１２】
また、本発明の風路切換装置は上記目的を達成するために、回転式ダンパーを円弧形状としたものである。
【００１３】
この手段により回転式ダンパーの回転領域が大きくなり、風路切換ボックスのスペースを有効に利用できるという効果が得られる。
【００１４】
また、本発明の風路切換装置は上記目的を達成するために、風路切換ボックスの形状が正方形で、正方形の対角線上の中点に回転式ダンパーの回転の中心を設置したものである。
【００１５】
この手段により風路切換ボックスの４つの側面とすべて連結された風路でも、１つのダンパーで開閉ができるという効果が得られる。
【００１６】
また、本発明の風路切換装置は上記目的を達成するために、風路切換ボックスの形状が円形で、円形の中心に回転式ダンパーの回転の中心を設置したものである。
【００１７】
この手段により円状の側面と連結された風路でも、１つのダンパーで開閉ができ、自由な位置で風路切換ボックスと風路との連結ができるという効果が得られる。
【００１８】
また、本発明の風路切換装置は上記目的を達成するために、回転式ダンパーに回転させるための取手を有したものである。
【００１９】
この手段により回転式ダンパーを手動で自由に回転させることができるという効果が得られる。
【００２０】
また、本発明の風路切換装置は上記目的を達成するために、回転式ダンパーの回転中心にモータを有したものである。
【００２１】
この手段により回転式ダンパーを電動で自由に回転させることができるという効果が得られる。
【００２２】
また、本発明の風路切換装置は上記目的を達成するために、風路切換ボックス内に少なくとも１つ以上の吹き出し口と、少なくとも２つ以上の吸い込み口とを有し、風路切換ボックス内にファン、ケーシング、回転式ダンパーを有したものである。
【００２３】
この手段により回転式ダンパーで風路切換ボックス内の吸い込み口を閉じることができる効果が得られる。
【発明の効果】
【００２４】
本発明によれば、１つのダンパーで風路を切換えることができ、風路切換ボックス内のスペースを有効に利用できる風路切換装置を提供できる。
【発明を実施するための最良の形態】
【００２５】
本発明の請求項１記載の発明は、少なくとも２つ以上の風路と、風路をつなぐ風路切換ボックスを有し、風路切換ボックス内に回転式ダンパーを有したことを特徴とする風路切換装置としたものであり、１つのダンパーで風路を切換えることができ、風路切換ボックス内のスペースを有効に利用できるという作用を有する。
【００２６】
また、回転式ダンパーが直線形状であることを特徴とする風路切換装置は、制作費を削減できるという作用を有する。
【００２７】
また、回転式ダンパーが円弧形状であることを特徴とする風路切換装置は、回転式ダンパーの回転領域が大きく風路切換ボックスのスペースを有効に利用できるという作用を有する。
【００２８】
また、風路切換ボックスの形状が正方形で、正方形の対角線上の中点に回転式ダンパーの回転の中心があることを特徴とする風路切換装置は、風路切換ボックスの４つの側面とすべて連結された風路でも、１つのダンパーで開閉ができるという作用を有する。
【００２９】
また、風路切換ボックスの形状が円形で、円形の中心に回転式ダンパーの回転の中心があることを特徴とする風路切換装置は、円状の側面と連結された風路でも、１つのダンパーで開閉ができ、自由な位置で風路切換ボックスと風路との連結ができるという作用を有する。
【００３０】
また、回転式ダンパーに回転させるための取手を有することを特徴とした風路切換装置は、回転式ダンパーを手動で自由に回転させることができるという作用を有する。
【００３１】
また、回転式ダンパーの回転中心にモータを有することを特徴とした風路切換装置は、回転式ダンパーを電動で自由に回転させることができるという作用を有する。
【００３２】
また、風路切換ボックス内に少なくとも１つ以上の吹き出し口と、少なくとも２つ以上の吸い込み口とを有し、風路切換ボックス内にファン、ケーシング、回転式ダンパーを有したことを特徴とする風路切換装置は、回転式ダンパーにより風路切換ボックス内の吸い込み口を閉じる作用を有する。
【００３３】
以下、本発明の実施の形態について図面を参照しながら説明する。
【００３４】
（実施の形態１）
図１は、本発明の実施の形態１における風路切換装置の上視図である。図２は、図１の横断面図である。
【００３５】
図１において、風路２a、２b、２ｃは風路切換ボックス１に連結され、風路切換ボックス１内のある点を基準とし回転する回転式ダンパー３を有する構成となっている。図２において、回転式ダンパー３は、風路切換ボックス１の上面近傍（図２では左側）を通り、風路切換ボックス１と風路２aを遮るように曲げられているような構成となっている。
【００３６】
以上のように、構成された風路切換装置において、回転式ダンパー３が風路切換ボックス１と風路２a、２b、２cを閉じる効果を有する。なお、図１のように風路２aが閉じられている時は、風路２ｂ、２cは開かれている。また、回転式ダンパー３を回転させることで、それぞれ風路２b、２cも閉じることが可能である。つまり、１つのダンパーで３つの風路２a、２b、２cをそれぞれ開閉することが可能である。
【００３７】
また、図２のように回転式ダンパー３を風路切換ボックス１の上方近傍（図２では左側）に通してやることで、風路切換ボックスのスペースを有効に利用することが可能である。
【００３８】
なお、本実施の形態では、風路切換ボックス１と３つの風路２a、２b、２ｃを連結させたが、１つ以上の風路と風路切換ボックス１と連結し、それぞれ開閉することが可能である。
【００３９】
（実施の形態２）
図３は、本発明の実施の形態２における風路切換装置の上視図である。本実施の形態２の説明において、前記実施の形態１と同じ構成については同じ符号を用い詳細な説明を省略するとともに、同じ動作についても詳細な説明は省略する。
【００４０】
図３において、風路２a、２b、２cは風路切換ボックス１に連結され、風路切換ボックス１内のある点を基準とし回転する回転式ダンパー３を有する構成となっている。
【００４１】
以上のように、構成された風路切換装置において、回転式ダンパー３の形状が直線上となっている。つまり、図３において、三角形形状になっているものである。三角形形状の回転式ダンパー３は、制作費を削減できる効果を有する。
【００４２】
（実施の形態３）
図４は、本発明の実施の形態３における風路切換装置の上視図である。本実施の形態３の説明において、前記実施の形態１及び２と同じ構成については同じ符号を用い詳細な説明を省略するとともに、同じ動作についても詳細な説明は省略する。
【００４３】
図４において、風路２a、２b、２cは風路切換ボックス１に連結され、風路切換ボックス１内のある点を基準とし回転する回転式ダンパー３を有する構成となっている。
【００４４】
以上のように、構成された風路切換装置において、回転式ダンパー３の形状が円弧状となっている。つまり、図４において、扇形形状になっているものである。扇形形状の回転式ダンパー３は、三角形形状の回転式ダンパー（実施の形態２）よりも、風路切換ボックス１内のスペースを有効に利用できる効果を有する。
【００４５】
（実施の形態４）
図５は、本発明の実施の形態４における風路切換装置の上視図である。本実施の形態４の説明において、前記実施の形態１及び２及び３と同じ構成については同じ符号を用い詳細な説明を省略するとともに、同じ動作についても詳細な説明は省略する。
【００４６】
図５において、風路２a、２b、２c、２dは風路切換ボックス１に連結され、風路切換ボックス１の枠の形状は正方形という構成となっている。また、この正方形の対角線の中点に回転式ダンパー３の回転中心があるという構成となっている。
【００４７】
以上のように、構成された風路切換装置において、回転式ダンパー３は、風路切換ボックス１の４つの側面に対して同様な距離で回転する。つまり、４つの側面とすべて連結された風路２a、２b、２c、２dでも、１つのダンパーで、それぞれ開閉ができるという効果を有する。
【００４８】
（実施の形態５）
図６は、本発明の実施の形態５における風路切換装置の上視図である。本実施の形態５の説明において、前記実施の形態１及び２及び３及び４と同じ構成については同じ符号を用い詳細な説明を省略するとともに、同じ動作についても詳細な説明は省略する。
【００４９】
図６において、風路２a、２b、２cは風路切換ボックス１に連結され、風路切換ボックス１の枠の形状は円形という構成となっている。また、この円形の中心に回転式ダンパー３の回転中心があるという構成となっている。
【００５０】
以上のように、構成された風路切換装置において、回転式ダンパー３は、風路切換ボックス１の円形状の側面に対して同様な距離で回転する。つまり、円形状の側面と連結された風路２a、２b、２cでも、１つのダンパーで、それぞれ開閉ができるという効果を有する。なお、通路切換ボックス１の側面が円状であるため、自由な位置で風路切換ボックス１と風路２a、２b、２cとの連結ができるという効果を有する。
【００５１】
（実施の形態６）
図７は、本発明の実施の形態６における風路切換装置の上視図である。図８は、図７の斜視図である。本実施の形態６の説明において、前記実施の形態１及び２及び３及び４及び５と同じ構成については同じ符号を用い詳細な説明を省略するとともに、同じ動作についても詳細な説明は省略する。
【００５２】
図７において、風路２a、２b、２cは風路切換ボックス１に連結され、風路切換ボックス１内のある点を基準とし回転する回転式ダンパー３を有する構成となっている。
【００５３】
図８において、回転式ダンパー３の上部に取手を構成し、手動で自由に回転させることができるという効果を有する。
【００５４】
なお、図７において、風路切換ボックス１と風路２aを完全に閉の状態とせずに、一部、開の状態とすることで、風量の調節が可能となる効果を有する。同様に、風路２b、２cも、それぞれ風量の調節が可能となる効果を有する。
【００５５】
（実施の形態７）
図９は、本発明の実施の形態７における風路切換装置の上視図である。図１０は、図９の横断面である。本実施の形態７の説明において、前記実施の形態１及び２及び３及び４及び５及び６と同じ構成については同じ符号を用い詳細な説明を省略するとともに、同じ動作についても詳細な説明は省略する。
【００５６】
図９において、風路２a、２b、２cは風路切換ボックス１に連結され、風路切換ボックス１内のある点を基準とし回転する回転式ダンパー３を有する構成となっている。
【００５７】
図１０において、回転式ダンパー３の回転中心にモータを構成し、電動で回転させるという効果を有する。
【００５８】
なお、１つの風路を完全に閉の状態とせずに、一部、開の状態とすることで、風量の調節が可能となる効果を有する。
【００５９】
（実施の形態８）
図１１は、本発明の実施の形態８における風路切換装置の上視図である。図１２は、図１１の横断面図である。本実施の形態８の説明において、前記実施の形態１及び２及び３及び４及び５及び６及び７と同じ構成については同じ符号を用い詳細な説明を省略するとともに、同じ動作についても詳細な説明は省略する。
【００６０】
図１１において、風路切換ボックス１の側面に吹き出し口７と吸い込み口８a、８bとを有し、風路切換ボックス１内にファン９とケーシング１０とある点を基準とし回転する回転式ダンパー３を有する構成となっている。
【００６１】
図１２において、回転式ダンパー３は、回転式ダンパー３の回転中心からケーシング１０の上方を通り、吸い込み口８aを遮るように曲げられているような構成となっている。
【００６２】
以上のように、構成された風路切換装置において、回転式ダンパー３が風路切換ボックス１内の吸い込み口８aを閉じる効果を有する。なお、図１１のように吸い込み口８aが閉じられている時は、吸い込み口８bは開かれている。
【００６３】
また、回転式ダンパー３を回転させることで、吸い込み口８bも閉じることが可能である。
【００６４】
なお、風路切換ボックス１と吸い込み口８a、８bを完全に閉の状態とせずに、一部、開の状態とすることで、風量の調節が可能となる効果を有する。
【００６５】
また、回転式ダンパー３の位置を調節することにより、吸い込み口８a、８bを両方とも開の状態にすることが可能となる効果を有する。
【００６６】
また、回転式ダンパー３がケーシング１０の上方を通ることにより、風路切換ボックス１内のスペースを有効に利用でき、実施の形態８のようにファン９、ケーシング１０を風路切換ボックス１内部に構成することができる効果を有する。
【産業上の利用可能性】
【００６７】
本発明にかかる風路切換装置は、１つのダンパーで風路を切換えることができ、空調システム機器として有用である。
【図面の簡単な説明】
【００６８】
【図１】本発明の実施の形態１の風路切換装置を示す上視図
【図２】同横断面図
【図３】同実施の形態２の風路切換装置を示す上視図
【図４】同実施の形態３の風路切換装置を示す上視図
【図５】同実施の形態４の風路切換装置を示す上視図
【図６】同実施の形態５の風路切換装置を示す上視図
【図７】同実施の形態６の風路切換装置を示す上視図
【図８】同横断面図
【図９】同実施の形態７の風路切換装置を示す上視図
【図１０】同横断面図
【図１１】同実施の形態８の風路切換装置を示す上視図
【図１２】同横断面図
【図１３】従来の風路切換装置を示す上視図
【符号の説明】
【００６９】
１    風路切換ボックス
２ａ  風路
２ｂ  風路
２ｃ  風路
２ｄ  風路
３    回転式ダンパー
４    対角線
５    取手
６    モータ
７    吹き出し口
８ａ  吸い込み口
８ｂ  吸い込み口
９    ファン
１０  ケーシング
【図１】
2005098609.tif 000003
【図２】
2005098609.tif 000004
【図３】
2005098609.tif 000005
【図４】
2005098609.tif 000006
【図５】
2005098609.tif 000007
【図６】
2005098609.tif 000008
【図７】
2005098609.tif 000009
【図８】
2005098609.tif 000010
【図９】
2005098609.tif 000011
【図１０】
2005098609.tif 000012
【図１１】
2005098609.tif 000013
【図１２】
2005098609.tif 000014
【図１３】
2005098609.tif 000015